(57)【要約】作業実施及び／又はエネルギー配給アタッチメントを動作可能に受容するためのモバイル・ワーク・システム及びその方法。 ワーク・プラットフォームは、電力出力デバイスによって電力が与えられ、アタッチメントに電力を供給するための電源を有して成る。プラットフォームは、第1の端部及び概して第１の端端と対向している第２の端部を有する。 第１のアタッチメント・インターフェースは第１の端部に接続され、及び第２のアタッチメント・インターフェースは、第１のアタッチメント・インターフェースと動作可能に実質的に同一であり、第２の端部に接続される。プラットフォームの第１の端部は、第１のステアリング機構も有して成り、第２の端部は第１のステアリング機構と動作可能に実質的に同一である第２のステアリング機構を有して成り、それによりプラットフォームは、それぞれ第１及び第２のステアリング機構によって、第１の方向に進み及び操縦され、第１方向と概して対向する第２の方向に進み及び操縦されるようになっている。【選択図】図１
2021527000.tif 000002
【特許請求の範囲】
【請求項１】
作業を実施する及び／又はエネルギー出力を提供するための、少なくとも一つのアタッチメントを動作可能に受容するようになっているモバイル・ワーク・システムであって、前記モバイル・ワーク・システムは、
プラットフォーム、
少なくとも一つのエネルギー源、
第１のアタッチメント・インターフェース、
第２のアタッチメント・インターフェース、
第１のステアリング機構、
第２のステアリング機構、及び
少なくとも一つの推進装置、
を有して成り、
前記プラットフォームは、少なくとも一つの動力出力デバイスにより動力を与えられ、第１の部分及び該第１の部分から離隔した第２の部分を規定し、
前記少なくとも一つのエネルギー源は、前記少なくとも一つの動力出力デバイスに動作可能に接続され、
前記第１のアタッチメント・インターフェースは、前記プラットフォームの前記第１の部分に接続され及び前記少なくとも一つのアタッチメントを受容するようになっており、
前記第２のアタッチメント・インターフェースは、前記プラットフォームの前記第２の部分に接続され及び前記少なくとも一つのアタッチメントを受容するようになっており、
前記第１のアタッチメント・インターフェース及び前記第２のアタッチメント・インターフェースは動作可能に実質的に互いに同一であり、
前記第１のステアリング機構は、前記プラットフォームの前記第１の部分に接続され、
前記第２のステアリング機構は、前記プラットフォームの前記第２の部分に接続され、
前記第１のステアリング機構及び前記第２のステアリング機構は、それぞれ前記第１の部分及び前記第２の部分の操縦時に、動作可能に実質的に互いに同一であり、並びに
前記少なくとも一つの推進装置は、ホイール、トラック、ローラー、スキッド、及び連結式脚から成る群から選択される前記プラットフォームに接続され、
前記プラットフォームが、前記プラットフォームの前記第１の部分から通じる第１の方向及び前記プラットフォームの前記第２の部分から通じる第２の方向に前記少なくとも一つの推進装置によって進むようになっており、概して互いに同じ方法で、前記第１のステアリング機構及び第２のステアリング機構によって操縦されるようになっている、
モバイル・ワーク・システム。
【請求項２】
前記少なくとも一つの動力出力デバイスが、ディーゼル・エンジン、ガソリン・エンジン、電気モーター、ポンプ、流体圧モーター、及びハイブリッド動力機器構成から成る群から選択される、請求項１に記載のモバイル・ワーク・システム。
【請求項３】
前記少なくとも一つのエネルギー源が、燃料供給体、バッテリー、蓄圧器、燃料電池、フライ・ホイール・デバイス、太陽電池、及び風力エネルギー・デバイスから成る群から選択される、請求項１に記載のモバイル・ワーク・システム。
【請求項４】
前記プラットフォームに接続された少なくとも一つの特定用途のボディ部分をさらに有して成る、請求項１に記載のモバイル・ワーク・システム。
【請求項５】
少なくとも一つのスマート・アタッチメント及び／又は非準拠の旧型のアタッチメントをさらに有して成る、請求項１に記載のモバイル・ワーク・システム。
【請求項６】
前記スマート・アタッチメントが、前記エネルギー源及び前記動力出力デバイスの少なくとも一つに接続され、並びに機械的作業を実施すること、電力を提供すること、熱動力を提供すること、及び／又は流体動力を提供することの少なくとも一つの動作を実施するようになっている、請求項５に記載のモバイル・ワーク・システム。
【請求項７】
前記非準拠の旧型のアタッチメントが、前記エネルギー源及び前記動力出力デバイスの少なくとも一つに接続され、並びに機械的動作を実施すること、電力を提供すること、熱動力を提供すること、及び／又は流体動力を提供することの少なくとも一つの動作を実施するようになっている、請求項５に記載のモバイル・ワーク・システム。
【請求項８】
前記スマート・アタッチメントと通信し、前記スマート・アタッチメントの動作を制御するようになっている、少なくとも一つのアタッチメント制御部をさらに有して成る、請求項５に記載のモバイル・ワーク・システム。
【請求項９】
少なくとも一つのスマート・アタッチメント又は非準拠の旧型のアタッチメント、及び少なくとも一つのアタッチメント制御部をさらに有して成り、
前記少なくとも一つのアタッチメント制御部は、前記少なくとも一つのスマート・アタッチメント又は非準拠の旧型のアタッチメントと通信し、前記アタッチメントの前記動作を制御するようになっている、請求項１に記載のモバイル・ワーク・システム。
【請求項１０】
前記プラットフォーム、前記スマート・アタッチメント、及び前記非準拠の旧型のアタッチメントの少なくとも一つと通信し、該少なくとも一つを制御するようになっている少なくとも一つのユーザー入力デバイスをさらに有して成る、請求項５に記載のモバイル・ワーク・システム。
【請求項１１】
ユーザー・インターフェース管理部をさらに有して成り、前記ユーザー・インターフェース管理部は、
前記ユーザー入力デバイス及び前記アタッチメント制御部に接続され、前記アタッチメントがスマート・アタッチメントであるか非準拠な旧型のアタッチメントであるかに関わらず及び前記ユーザー入力デバイス又は前記アタッチメント制御部の再プログラミングを要求することなく、前記ユーザー入力デバイスと前記アタッチメント制御部との間の双方向変換を自動的に提供するようになっており、
前記ユーザー・インターフェース管理部は、ユーザーが前記ユーザー入力デバイスを介してアタッチメントを動作させることを可能にする、請求項１０に記載のモバイル・ワーク・システム。
【請求項１２】
前記少なくとも一つの推進装置が、少なくとも一つの第１の推進装置及び少なくとも一つの第２の推進装置を有して成り、
前記少なくとも一つの第１の推進装置は、ホイール、トラック、ローラー、スキッド、及び連結式脚から成る群から選択される前記プラットフォームの前記第１の部分に接続されており、
前記少なくとも一つの第２の推進装置は、ホイール、トラック、ローラー、スキッド、及び連結式脚から成る群から選択される前記プラットフォームの前記第２の部分に接続されている、請求項１に記載のモバイル・ワーク・システム。
【請求項１３】
前記少なくとも一つのエネルギー源が電気エネルギー源であり、並びに
前記第１のアタッチメント・インターフェース及び第２のアタッチメント・インターフェースの少なくとも一方が、前記少なくとも一つのエネルギー源に接続された電気コネクターを有して成る、請求項１に記載のモバイル・ワーク・システム。
【請求項１４】
前記少なくとも一つのエネルギー源がパワー・レールを有して成る電気エネルギー源である、請求項１に記載のモバイル・ワーク・システム。
【請求項１５】
前記少なくとも一つのエネルギー源が電力システム機器構成を有して成る電気エネルギー源である、請求項１に記載のモバイル・ワーク・システム。
【請求項１６】
前記少なくとも一つのエネルギー源が、電力取込み及び電力送り出しの少なくとも一方のための電力システム機器構成を有して成る電気エネルギー源である、請求項１に記載のモバイル・ワーク・システム。
【請求項１７】
前記少なくとも一つのエネルギー源が電気エネルギー源であり、及び電力テイクオフをさらに有して成る、請求項１に記載のモバイル・ワーク・システム。
【請求項１８】
流体動力システムをさらに有して成る、請求項１に記載のモバイル・ワーク・システム。
【請求項１９】
流体動力システムをさらに有して成り、及び前記第１のアタッチメント・インターフェース及び前記第２のアタッチメント・インターフェースの少なくとも一方は前記流体動力システムに接続される流体動力コネクターを含む、請求項１に記載のモバイル・ワーク・システム。
【請求項２０】
少なくとも一つの圧力レールを有する流体動力システムをさらに有して成る、請求項１に記載のモバイル・ワーク・システム。
【請求項２１】
流体動力システム及び該流体動力システムに接続された流体動力が供される動力テイクオフをさらに有して成る、請求項１に記載のモバイル・ワーク・システム。
【請求項２２】
熱管理システムをさらに有して成る、請求項１に記載のモバイル・ワーク・システム。
【請求項２３】
前記少なくとも一つのエネルギー源を加熱及び冷却するための熱管理システムをさらに有して成る、請求項１に記載のモバイル・ワーク・システム。
【請求項２４】
オープン・コマンド・通信バス・システムをさらに有して成る、請求項１に記載のモバイル・ワーク・システム。
【請求項２５】
前記少なくとも一つのエネルギー源及び前記少なくとも一つの動力出力デバイスの少なくとも一方を制御するようになっている、オープン・コマンド・通信バス・システムをさらに有して成る、請求項１に記載のモバイル・ワーク・システム。
【請求項２６】
前記少なくとも一つのエネルギー源及び前記少なくとも一つの動力出力デバイスの少なくとも一方のオンボード及びオフボード制御での使用のための、オープン・コマンド・通信バス・システムをさらに有して成る、請求項１に記載のモバイル・ワーク・システム。
【請求項２７】
オープン・コマンド・通信バス・システム、並びに
前記オープン・コマンド・通信バス・システムと通信するようになっているオペレーター制御をさらに有して成る、請求項１に記載のモバイル・ワーク・システム。
【請求項２８】
オープン・コマンド・通信バス・システム、並びに
前記オープン・コマンド及び通信バス・システムと有線又は無線通信するようになっているオペレーター制御をさらに有して成る、請求項１に記載のモバイル・ワーク・システム。
【請求項２９】
ユーザー・インターフェース管理部をさらに有して成る、請求項１に記載のモバイル・ワーク・システム。
【請求項３０】
複数の機器構成を有するユーザー・インターフェース管理部、
非標準管理用のアダプターを有する前記ユーザー・インターフェース管理部、及び
オンボード制御又は遠隔モビリティ制御と通信するようになっている前記ユーザー・インターフェース管理部をさらに有して成る、請求項１に記載のモバイル・ワーク・システム。
【請求項３１】
複数の機器構成を有するアタッチメント通信バスをさらに有して成り、
前記アタッチメント通信バスは、
非標準アタッチメント、
モビリティ制御部、
四輪駆動、
四輪ステアリング、
有線によるモビリティ制御、及び
無線によるモビリティ制御
のために構成された少なくとも一つのアダプターを有する、請求項１に記載のモバイル・ワーク・システム。
【請求項３２】
動力管理及び通信バスをさらに有して成り、
前記動力管理及び通信バスは、
構成部品の設置場所に動力を供給する機能、
様々な種類の構成部品に電力を供給する機能、
複数の充電器用アダプター、及び
複数の動力送り出し用アダプターの少なくとも一つを有する、請求項１に記載のモバイル・ワーク・システム。
【請求項３３】
エネルギー管理及び通信バスをさらに有して成り、
前記エネルギー管理及び通信バスは、
複数のエネルギー位置及び複数の種類のエネルギーと相互作用する機能、
複数のエネルギー構成部品を操作する機能、及び
複数のエネルギー構成部品の制御のためのアダプターの少なくとも一つを有する、請求項１に記載のモバイル・ワーク・システム。
【請求項３４】
車両エネルギー・システム・インテグレーター（ＶＥＳＩ)をさらに有して成り、
前記車両エネルギー・システム・インテグレーターは、
前記モバイル・ワーク・システムの適切なコンテンツを検証する機能、及び
前記モバイル・ワーク・システム及び／又は少なくとも一つのアタッチメントによって実施されるタスクのための、所定の性能限界を伝達する機能の少なくとも一方を有する、請求項１に記載のモバイル・ワーク・システム。
【請求項３５】
モバイル・エネルギー・システム・オプティマイザーをさらに有して成り、
前記モバイル・エネルギー・システム・オプティマイザーは、
前記モバイル・ワーク・システムのコンテンツ定義を最適化する機能、及び
前記オンボード又は前記オフボードのタスク・インタープリターである機能の少なくとも一方を有する、
請求項１に記載のモバイル・ワーク・システム。
【請求項３６】
前記プラットフォームの前記第１の部分が前記プラットフォームの第１の端部であり、
前記プラットフォームの前記第２の部分が前記プラットフォームの第２の端部であり、及び
前記プラットフォームの前記第２の端部が、前記プラットフォームの前記第１の端部と対向している、
請求項１に記載のモバイル・ワーク・システム。
【請求項３７】
システムであって、
プラットフォーム、
少なくとも一つの動力出力デバイス、
少なくとも一つのエネルギー源、
少なくとも一つの特定用途のボディ部分、
少なくとも一つのスマート・アタッチメント又は少なくとも一つの非準拠の旧型のアタッチメント、
少なくとも一つのプラグラム可能なアタッチメント制御部、
少なくとも一つのプログラム可能なユーザー入力デバイス、及び
ユーザー・インターフェース管理部、
を有して成り、
前記少なくとも一つの動力出力デバイスは、前記プラットフォームを進むようになっており、
前記少なくとも一つのエネルギー源は、前記動力出力デバイスにエネルギーを供給するようになっており、
前記少なくとも一つの特定用途のボディ部分が前記プラットフォームによって運ばれ、
前記少なくとも一つのスマート・アタッチメント又は少なくとも一つの非準拠の旧型のアタッチメントは、前記プラットフォーム及び前記ボディ部分の少なくとも一方に接続され、
前記アタッチメントは、前記エネルギー源又は前記動力出力デバイスに接続され、及び機械的作業を実施する、電力を供給する、熱動力を供給する、又は流体動力を供給するようになっており、
前記少なくとも一つのプラグラム可能なアタッチメント制御部は、前記アタッチメントの動作を制御するための前記アタッチメントと通信し、
前記少なくとも一つのプログラム可能なユーザー入力デバイスは、前記プラットフォーム及び前記アタッチメントの少なくとも一方と通信し該一方を制御するようになっており、
前記ユーザー・インターフェース管理部は、前記ユーザー入力デバイス及び前記アタッチメント制御部に接続され、並びに、
前記ユーザー・インターフェース管理部が、前記アタッチメントがスマート・アタッチメントであるか非準拠の旧型のアタッチメントであるかに関わらず、及びユーザー入力デバイス又はアタッチメント制御部の再プログラミングを必要とせずに、前記ユーザー入力デバイスと前記アタッチメント制御部との間の双方向変換を自動的に提供するようになっており、
前記ユーザー・インターフェース管理部は、ユーザーがユーザー入力デバイスを介してアタッチメントを動作することを可能とする、
システム。
【請求項３８】
作業を実施する及び／又はエネルギー出力を提供するようになっているアタッチメントを動作させるための方法であって、該方法は、
少なくとも一つの動力出力デバイスを供すること、
少なくとも一つのスマート・アタッチメント又は非準拠の旧型のアタッチメントを供すること、
少なくとも一つのプログラム可能なアタッチメント制御部を供すること、
少なくとも一つのプログラム可能なユーザー入力デバイスを供すること、
ユーザー・インターフェース管理部を提供すること、及び
前記少なくとも一つのスマート・アタッチメント又は非準拠の旧型のアタッチメントを動作させること、
を含み、
前記少なくとも一つの動力出力デバイスは、少なくとも一つのエネルギーによって動力が供給されるプラットフォームを進むようになっており、
前記少なくとも一つのスマート・アタッチメント又は非準拠の旧型のアタッチメントは、エネルギー源及び／又は動力出力デバイスに接続され、並びに機械的作業を実施し、電力を提供する、熱動力を提供する、及び／又は流体動力を提供するようになっており、
前記少なくとも一つのプログラム可能なアタッチメント制御部は、前記少なくとも一つのスマート・アタッチメント又は非準拠の旧型のアタッチメントと通信し、前記少なくとも一つのスマート・アタッチメント又は非準拠の旧型のアタッチメントを制御するようになっており、
前記少なくとも一つのプログラム可能なユーザー入力デバイスは、前記プラットフォーム、及び前記少なくとも一つのスマート・アタッチメントの少なくとも一方又は非準拠の旧型のアタッチメントと通信し制御するようになっており、
前記ユーザー・インターフェース管理部は、前記ユーザー入力デバイス及び前記アタッチメント制御部に接続され、前記アタッチメントがスマート・アタッチメントであるか非準拠の旧型のアタッチメントであるかに関わらず及びユーザー入力デバイス又はアタッチメント制御部の再プログラミングを必要とせずに、前記ユーザー入力デバイスと前記アタッチメント制御部との間の双方向変換を自動的に提供するようになっている、
方法。
【発明の詳細な説明】
【技術分野】
【０００１】
関連出願への相互参照
本出願は、２０１８年６月７日に出願された米国仮出願第６２／６８２，１４５の利益を主張し、その開示はその全体が参照により本明細書に組み込まれる。
【０００２】
本開示の実施形態は、とりわけ、複数の作業機器構成（又は構成、又はコンフィギュレーション、又は設定；configuration）が可能なモバイル・ワーク・プラットフォーム（又は移動作業プラットフォーム、又はモバイル作業プラットフォーム；mobile work platform）のシステム及びその方法に関する。
【背景技術】
【０００３】
歴史的に、オフロード／オンロード作業車両（又は作業車；work vehicle）は、トラック（又は無限軌道、キャタピラー；track）及び／又はホイール上で、蒸気、石炭、ディーゼル燃料内燃機関によって駆動される機械である。これらの車両は、農業、産業、及び建設目的で使用され、脱穀機、収穫期、トラクター、ローダー、ブルドーザー、フォークリフト、ぺーバー、グレーダー、ダンプトラック、ボーリングマシン、及び掘削機等の機械を含む（まとめて「モバイル・ワーク・マシン（又は移動作業機械；mobile work machines）」と称される）。モバイル・ワーク・マシンは、機械的及び／又は油圧式の付属品と連動し、モバイル・ワーク・マシンが設計された特定の動作を実施し得る。モバイル・ワーク・マシンを駆動するエンジンのサイズ及び設計の最適化が、モバイル・ワーク・マシンの一定の位置（又は固定位置、据え置きの場所；fixed location）にエンジン、オペレーター・ステーション、又はキャブ、及び特定タスクの付属品を有する機器構成を実現させた。その機器構成とは、エンジン又はキャブがモバイル・ワーク・マシンの前方にあり及びタスク機器が後方にあった、又はタスク機器が前方にありエンジンが前方にあるがタスク機器の後方にあった、及びキャブが後方にあった等である。
【０００４】
さらに、モバイル・ワーク・マシンの様々な用途の歴史的な発展が、エンド・ユーザーに提供され、時にはカスタマイズされた基準でアタッチメントを取り外して交換することをエンド・ユーザーに委ねてモバイル・ワーク・マシン用の様々な用途を達成する、専用の設計及び単一目的、時には二重目的のモバイル・ワーク・マシンを実現させた。エンド・ユーザーの観点から、モバイル・ワーク・マシンの柔軟性がない点が、幅広い用途を実現するために複数のモバイル・ワーク・マシンを購入する必要をもたらし、それぞれの個々の専用モバイル・ワーク・マシンを必要しない際に実質的に機械を駆動しない中断時間をもたらすことがよくある。
【０００５】
従って、複数のモバイル・ワーク・マシンの必要性を低減又は排除して、幅広い用途を達成する柔軟な（又はフレキシブル；flexible）モバイル・システムの必要性がある。
【発明の概要】
【０００６】
一実施形態では、本開示は、作業実施及び／又はエネルギー配給（又は供給;delivery）アタッチメントを動作可能に（又は操作上、又は操作的に；operationally）受容する（又は受信する；receiving）ためのモバイル・ワーク、又はプラットフォームのシステム及びそれらの方法を含む。ワーク・プラットフォームは、動力出力デバイス（又は動力出力装置；power output device）によって動力が与えられ、アタッチメントに動力を供給するための電源を有して成る。プラットフォームは、第１の端部及び概して第１の端部と対向している第２の端部を有する。第１のアタッチメント・インターフェースは第１の端部に接続され、及び第２のアタッチメント・インターフェースは、第１のアタッチメント・インターフェースと動作可能に実質的に同一であり、第２の端部に接続される。プラットフォームの第１の端部は、第１のステアリング（又は操縦、又は操作；steering）機構も有して成り、第２の端部は第１のステアリング機構と動作可能に実質的に同一である第２のステアリング機構も有して成り、それによりプラットフォームは、それぞれ第１及び第２のステアリング機構によって、第１の方向に進み（又は推進し；propel）及び操縦され、第１方向と概して対向する第２の方向に進み及び操縦されるようになっている。
【０００７】
別の実施形態では、モバイル・プラットフォーム・システム及びその使用のために本明細書に記載されている方法は、少なくとも一つの動力出力デバイス（少なくとも一つのディーゼル・エンジン、ガソリン・エンジン、電気モーター、ポンプ、及び／又は流体圧モーター（又は流体モーター、又は水力原動機、又は油圧モーター；fluid motor）を有して成るがこれらに限定されない）及び少なくとも一つのエネルギー源（少なくとも一つの燃料供給体（又は燃料供給、又は燃料供給器；fuel supply）、バッテリー、蓄圧器（又はアキュムレーター；pressure accumulator）、燃料電池、フライ・ホイール・デバイス、太陽電池、又は風力エネルギー・デバイスを有して成るがこれらに限定されない）によって動力を供給されるプラットフォームを有して成るシステムを含む。少なくとも一つの特定用途の（又は用途特定の、又は用途特化の、又はアプリケーション固有の;application specific）ボディ部分がプラットフォームによって運ばれ、少なくとも一つのスマート・アタッチメント及び／又は少なくとも一つの非準拠の旧型（又は従来型の、又は中古の、又はレガシー；legacy）のアタッチメントが、プラットフォーム及びボディ部分の少なくとも一方に接続される。本明細書で使用されるような「スマート（smart）」又は「スマートさ(smartness)」又はその欠如は、ユーザーのコミュニティによって受け入れられた通信、制御、及び反応のための一連の受け入れ可能な規則（又はルール；rules）に従い、同規則で動作する能力によって、それらの規則が１つ以上の公式基準であるか、１つ以上の商業的定義であるかに関わらず、定義されることを理解されたい。本明細書で使用されるような、「非準拠の旧型のアタッチメント」は、「スマートさ」の欠如が前述の受け入れられた通信、制御、及び反応の規則への準拠の欠如を意味するものであることをさらに理解されたい。アタッチメントは、エネルギー源及び／又は動力出力デバイスに接続され、機械的作業を実施する、電力を提供する、熱電力を提供する、及び／又は流体動力（又は流体圧動力；fluid power）を提供するようになっている。少なくとも一つのアタッチメント制御部は、アタッチメントの動作を制御するためにアタッチメントと通信しており、少なくとも一つの遠隔ユーザー入力デバイス（remote user input device）は、プラットフォーム及びアタッチメントの少なくとも一方と通信し制御するようになっている。ユーザー・インターフェース管理部（又は制御部、又は操作部、又は処理部、又はマネージャー；manager）は、ユーザー入力デバイスとアタッチメント制御部に接続され、アタッチメントがスマート・アタッチメントであるか非準拠の旧型のアタッチメントであるかに関わらず、ユーザー入力デバイス又はアタッチメント制御部の再プログラミングを必要とせずに、ユーザー入力デバイスとアタッチメント制御部との間の双方向変換を自動的に提供するように構成され、上記ユーザー・インターフェース管理部は、ユーザーがユーザー入力デバイスを介してアタッチメントを動作させることができる。
【０００８】
本明細書で広く開示されるモバイル・ワーク・システム及びその方法は、別の実施形態において、中央又は略中央に取り付けられ相互接続された電気、電子、機械及び油圧システムを有する（ＣＭＳ）最適化された電気駆動の柔軟なプラットフォームのモバイル・プラットフォーム・システムを含み、ＣＭＳは以下を有する。（ａ）車両としてモバイル・プラットフォーム・システムの前方又は後方として、どちらの方向（又はどちらかの一方の方向；either direction）にも動作できる機能を有し、（ｂ）既製品又はカスタマイズされた油圧、機械、及び／又はＣＭＳの両側（又はどちらか一方の側；either side）のオペレーター・エリア若しくはキャブに、何時でも柔軟に接続する機能を有し、（ｃ）（一般的な交流（ＡＣ）電源接続を含むが、これに限定されない接続を介して）オフボード・システムに電力を供給すること、又は追加のオフボード電動工具及び／若しくはアタッチメントを実施することのどちらか一方のプラグイン電源として機能し、（ｄ）補助動力ユニット（ＡＰＵ）と統合されて、モバイル・プラットフォーム・システム（限定されないが、液体燃料ベースのエンジン、燃料電池、ソーラー・パネル、圧縮空気動力及びＡＰＵの他の形態）に追加の発電機を提供することができ、及び様々なオンボード（又は車内；on-board）及びオフボード（又は車外；off-board）・アタッチメントを補助することができ、（ｅ）車両としてのモバイル・プラットフォーム・システムのバランスをとるためにパッケージ化され、及び蓄積エネルギー容量又は電力伝達機能を増強するためにモバイル・プラットフォーム・システムに搭載された追加のバッテリーで増強されることができる、統合されたバッテリー及び駆動システムを有し、（ｆ）オンボードでのオペレーター制御、遠隔制御を介したオフボード・ドライバー、又は自動制御を有するドライバーレス機器構成によって動作されることができ、（ｇ）以下の（１）〜（３）を備えるソフトウェア制御の車両エネルギー・システム・インテグレーター（Ｖｅｈｉｃｌｅ  Ｅｎｅｒｇｙ  ＳｙｓｔｅｍＩｎｔｅｇｒａｔｏｒＴＭ）（「ＶＥＳＩＴＭ」）。（１）接続アタッチメント、オフボード・ツール、又はシステムにおいて、原動力、オフボード電源のためのバッテリー駆動システムの使用又は油圧、機械的システム若しくはその他の電子機器の使用に関して、モバイル・プラットフォーム・システムの性能を最適化し、又は上記オプション間で変化するようにカスタマイズすることができ、（２）センサー及びソフトウェア等を介して、モバイル・プラットフォーム・システムが配置されている特定のアタッチメント又は使用を認識し、あらゆる必要なオペレーター入力なしでアタッチメント又は使用を最適化することができ（しかしながら、オペレーターによってカスタマイズすることもできる）、及び、（３）車両からグリッド、グリッドから車両、及び車両から車両への動力伝達のための適切なモバイル・プラットフォーム・システム構成部品（又は構成要素、又は構成部分；component）のコンテンツ（又は内容；content）及び構成部品の統合を検証することができる。
【０００９】
別の例示的な実施形態では、エネルギー及び動力エコシステムが提供され、モバイル動力及びエネルギー・システムは、モバイル動力及びエネルギー・プラットフォーム上に構築され、実用の(又は有効な又は実現可能な;enabling)／アシスト（又は補助又は促進；facilitating）構成部品である。
【００１０】
考慮することができものでかつ階層の下位から上位への順序で、本開示の一実施形態によって期待され（又は考えられ；contemplated）、考えられる全体的な「エコシステム」は、以下を含む。（a）柔軟な組み立て（又は組立物、又は構成、又は構造；composition）のエネルギー貯蔵及び動力取り込み(又はインポート；import）／送り出し（又はエクスポート;export）機能を有して成り、現場で再構成可能なモバイル・ワーク・システム。（b）エネルギー及び動力増強構成部品等、又はそのような、特定のタスクのためのモバイル・ワーク・システムの構成の適切な組み立て（つまり、完全で、必要なパーツ又は構成部品を含む）を保証／検証する可変エネルギー・システム・インテグレーターＴＭ（ＶＥＳＩＴＭ）。 （c）モバイル・ワーク・システム・レベルのＶＥＳＩＴＭによって検証されたものが、エネルギーや電力増強構成部品等、又はそのような、特定のタスクのための時間枠全体で最適であることを保証する、モバイル・エネルギー・システム・オプティマイザーＴＭ（ＭＥＳＯＴＭ）。（d）モバイル及び／又は固定の動力及びエネルギー貯蔵構成部品を有して成り、モバイル・ワーク・システム又は様々な機器構成を有する複数のモバイル・ワーク・システム等のモバイル構成部品は機器構成の柔軟性を提供する複合発電所（又は原動所；power station）の適切な組み立てを保証／検証する、（ステーション・レベルの）ＶＥＳＩＴＭ。（e）複合発電所レベルのＶＥＳＩＴＭによって検証されたものが、時間枠全体で、特定のエネルギー／動力用途に最適であることを保証する、複合発電所レベルの（ステーション・レベルの）ＭＥＳＯＴＭ（f）複合発電所レベルのＶＥＳＩによって検証されるものが、時間枠、及び／又は特定のエネルギー／動力用途のための複合発電所の相互接続されたネットワーク全体の時間枠の連結にわたって最適であることを保証する複合電力ネットワークレベルの（ネットワークレベル）ＭＥＳＯＴＭ。（g）複合ステーション・レベルのＶＥＳＩＴＭシステムによって検証される複合ステーションの組み立てが、時間枠、又は複合発電所の相互接続されたネットワークにわたる連結された時間枠、の全体での特定のエネルギー／動力用途に最適であり、当該複合発電所には、複合ステーションから複合ステーション（複数の車両と複数のグリッドポイントを含む、マルチポイント車両間（Ｖ２Ｇ））にネットワーク内を移動できる、モバイル・ワーク・システムのような、再構成可能なモバイル電力／エネルギー構成部品を有して成る。
【００１１】
別の実施形態では、モバイル・ワーク・システムは、少なくとも作業を実施する又はエネルギー出力を提供するようになっている少なくとも一つのアタッチメントを動作可能に受容にするようになっており、上記モバイル・ワーク・システムは電力出力デバイスによって動力を与えられるプラットフォーム及び電力出力デバイスに動作可能に接続されたエネルギー源を有する。プラットフォームは、第１の端部及び概して第１の端部と対向する第２の端部、プラットフォームの第１の端部に接続され、アタッチメントを受け取る（又は受容する；receipt）ようになっている第１のアタッチメント・インターフェース、及びプラットフォームの第２の端部に接続され、アタッチメントを受容するようになっている第２のアタッチメント・インターフェース、を有して成る。第１のアタッチメント・インターフェース及び第２のアタッチメント・インターフェースは、互いに動作可能に実質的に同一である。第１のステアリング機構は、プラットフォームの第１の端部に接続され、第２のステアリング機構は、プラットフォームの第２の端部に接続される。第１のステアリング機構及び第２のステアリング機構は、それぞれ、第１の端部及び第２の端部を操作する（又は操縦；steer）際に、互いに動作可能に実質的に同一である。車輪、トラック、ローラー、スキッド及び連結式脚（又は間接式脚；articulated leg）からなる群から選択される推進装置はプラットフォームに接続され、それによってプラットフォームは、プラットフォームの第１の端部から、又は第１の端に向かって、通じる（又は繋がる、導く；leading）第１の方向及びプラットフォームの第２の端部から、又は第２の端部に向かって、通じる第２の方向に推進装置（又は推進アレンジメント；propulsion arrangement）によって進み、第１のステアリング機構及び第２のステアリング機構によって、概して互いに同一の方法で操縦される。
【００１２】
特定の例示的な実施形態では、モバイル・ワーク・システムは、ディーゼル・エンジン、ガソリン・エンジン、電気モーター、ポンプ、流体圧モーター、及びハイブリッド動力機器構成からなる群から選択される動力出力デバイスを有して成り、エネルギー源は、燃料供給体、バッテリー、蓄圧器、燃料電池、フライ・ホイール装置、ソーラー・セル、及び風力エネルギー装置からなる群から選択される。
【００１３】
ある実施形態では、プラットフォームに接続された特定用途のボディ部分及びエネルギー源に接続され得る１つ以上のスマート及び／又は非準拠の旧式のアタッチメントをさらに有して成り、動力出力デバイスは機械的作業を実施すること、電力を提供すること、熱動力（又は火力；thermal power）を提供すること、及び流体動力を提供すること、の少なくともいずれかの動作を実施するようになっている。
【００１４】
ある実施形態では、スマート・アタッチメント及び／又は非準拠の旧式のアタッチメントと通信しアタッチメントの動作を制御するようになっているアタッチメント制御部、並びにプラットフォーム及びアタッチメントの少なくとも一方と通信し制御するようになっているユーザー入力デバイスを有して成る。
【００１５】
さらなる実施形態では、ユーザー入力デバイス及びアタッチメント制御部に接続されたユーザー・インターフェース管理部を有して成り、アタッチメントがスマート・アタッチメントであるか非準拠の旧式のアタッチメントであるかに関わらず、及びユーザー入力デバイス又はアタッチメント制御部の再プログラミングを必要とせず、ユーザー入力デバイス及びアタッチメント制御部との間の双方向変換を自動的に提供するようになっており、さらに、ユーザー・インターフェース管理部は、ユーザーがユーザー入力デバイスを介してアタッチメントを動作することを可能にする。
【００１６】
追加の実施形態では、プラットフォームの第１の端部に接続された車輪、トラック、ローラー、スキッド、及び連結脚からなる群から選択される第１の推進装置、及びプラットフォームの第２の端部に接続されたホイール、トラック、ローラー、スキッド、及び連結式脚からなる群から選択される第２の推進装置を有して成る。
【００１７】
本開示の他の実施形態では、電気エネルギー源であるエネルギー源、並びにエネルギー源に接続された電気コネクターを有して成る第１のアタッチメント・インターフェース及び第２のアタッチメント・インターフェースを有して成り、エネルギー源はパワー・レール（又は動力レール、又は電力レール；power rail）、電力の取り込み／送り出し、及び／又は電力テイクオフ（又は分岐；take off）のようになっている電力システム機器構成を有して成る。
【００１８】
実施形態ではまた、流体動力システムに接続された流体動力コネクター、少なくとも一つの圧力レール、及び／又は流体動力の動力テイクオフ（又はパワー・テイクオフ；power take-offに接続された流体動力コネクターを有して成る、第１のアタッチメント・インターフェース及び第２のアタッチメント・インターフェースの少なくとも一方を含む流体動力システムを有して成る、流体動力システム。
【００１９】
いくつかの実施形態では、とりわけ、エネルギー源を加熱及び冷却するための熱管理システムを有して成る。
【００２０】
他の実施形態では、ＣＭＤ／ＣＯＭＭバス・システムとの有線又は無線通信でのエネルギー源、動力出力デバイス、及び／又はオペレーター制御のオンボード及びオフボード制御で使用するために、エネルギー源及び／又は動力出力デバイスを制御するようになっているオープン・コマンド・通信（又はオープン・コマンド及び通信；open command and communication）（ＣＭＤ ／ ＣＯＭＭ）バス・システムを有して成る。
【００２１】
さらに別の実施形態には、複数の機器構成を有し、及び非標準制御用アダプターを有しオフボード制御又は遠隔モビリティ制御と通信するようになっている、ユーザー・インターフェース管理部（ＵＩＭ）を有して成る。
【００２２】
実施形態ではまた、複数の機器構成を有するアタッチメント通信バス、及び下記アダプターの少なくとも何れかを有するようになっており、非標準アタッチメント用アダプター、モビリティ制御部、四輪駆動、四輪ステアリング、有線モビリティ制御、及び無線モビリティ（又は移動；mobility）制御、の少なくともいずれかを有するようになっており、動力管理及び通信バスは構成部品の場所に動力を供給する機能、様々な種類の構成部品に動力を供給する機能、複数の充電器用アダプター、の少なくとも何れかの機能を有する。
【００２３】
さらなる実施形態では、複数のエネルギーの設置位置（又は場所；location）及びエネルギーの種類と相互作用する機能、複数のエネルギー成分を操作する機能、複数のエネルギー構成部品制御用アダプターの少なくともいずれかを有するエネルギー管理部及び通信バスを有して成る。
【００２４】
さらにさらなる実施形態では、以下の少なくともいずれかを有する車両エネルギー・システム・インテグレーターを有して成る。モバイル・ワーク・システムの適切なコンテンツを検証する機能、及びモバイル・ワーク・システム又は少なくとも一つのアタッチメントによって実施されるタスクの適切な性能限界を伝達する機能及び／ 又は、次の少なくとも一つを備えたモバイル・エネルギー・システム・オプティマイザー：モバイル・ワーク・システムのコンテンツ定義を最適化する機能、及びオンボード又はオフボードのタスク・インタープリター（又は解釈；interpreter）になる機能。
【００２５】
本開示のモバイル・プラットフォーム・システムは、スマート・アタッチメントと旧型のアタッチメントの両方を認識して収容する能力、及び真の双方向性を有し、いずれか一方の端部を前、又は後として操作可能であることに加えて、いずれか一方の端部を前、又は後として構成する機能を有する。本開示のモバイル・プラットフォーム・システムの用途が広い構成の可能性により、最適な使いやすさのために、モバイル・プラットフォーム・システム上又はモバイル・プラットフォーム・システムに接続された構成部品を配置することができる。様々なユーザーのアタッチメントや制御を結び付けるモバイル・プラットフォーム・システムの機能の差別化、つまり、モバイル・プラットフォーム・システムは、既成又はカスタマイズされた油圧式、機械式、及び／又は電気式アタッチメント若しくは制御に対して、電子通信バス、電気及び／又は油圧パワー・レールを介して、事実上いつでも柔軟に接続する機能を有する。これには、標準化されたインターフェース要件に加入し得ない（又は承認し得ない；subscribe）旧式のアタッチメント又は制御、及び／又はＣＭＳの両側のオペレーター・エリア若しくはキャブが含まれる。モバイル・プラットフォーム・システムは、従来の繰り返し並列の専用の電源から負荷の動力／リターン向けのペア（source-to-load power/return pairs) (又は対；pairs)の代わりに、電力バス／レールを含む動力の特徴的な（又は独自の；distinctive）接続／接続性を有する。さらに、モバイル・プラットフォーム・システムには、一元集中されたバルブと繰り返しのソースからロード向け及びロードからタンク向けのペア(centralized valves and repeated source-to-load and load-to-tank pairs)の代わりに、特徴的な油圧動力供給「レール」またはマニホールド供給アタッチメントバルブを有して成る。
【００２６】
ＶＥＳＩＴＭシステムのモバイル・プラットフォーム・システムは、定期的な自己評価を実施する。モバイル・プラットフォーム・システムがアクティブ化されるごとに、部品表（又はその他の組立シートや仕様）に従ってモバイル・プラットフォーム・システムに取り付けられている全てのものが所定の位置及び適切に作業する順番であることを確認する。 この機能は、モバイル・プラットフォーム・システムが不完全である、誤ったパーツや構成部品が取り付けられている等の場合に動作することから防ぐ。換言すると、モバイル・プラットフォーム・システム自体が、様々なアタッチメント、動作パラメータ等が使用される際に日々又はその日の内に潜在的に変更されやすい機器構成等の、「正しい機器構成」であることを確認することができる。
【００２７】
モバイル・プラットフォーム・システムは、略５０／５０の重量バランスを有し、図に示されているように、運転室はモバイル・プラットフォーム・システムの複数の場所に配置できる。
【００２８】
本開示のモバイル・プラットフォーム・システムは、真の双方向方式で動作する、すなわち、従来のトラクターとは対照的に「両手利き」であり、前後に移動することができるが、通常、順方向で最も効率的に動作するように偏る。モバイル・プラットフォーム・システムは永続的であり、「前方」又は「後方」の移動、操縦、及び操作の効率が同一であり、モバイル・プラットフォーム・システムには実際には固有の「前方」又は「後方」の端部がないことを理解されたい。モバイル・プラットフォーム・システムには、同様に順応する両端及び柔軟な構成部品において同じ範囲のステアリング角度と動きで動作する４輪ステアリングを有する。しかしながら、モバイル・プラットフォーム・システムがこの機器構成で製造されている場合、又はある特定の機器構成では、モバイル・プラットフォーム・システムがフォークリフト構成で使用される場合、エンド・ユーザーは一方又は両方の端部を再構成して、停止ブロックが車軸を固定するために追加され得る不整地な構成のように、互いに異なるようにすることができる
【００２９】
説明した特徴、機能、及び利点は、様々な例で独立して達成することができ、又はさらに他の例で組み合わせることができ、その詳細は、以下の説明及び図面を参照して見ることができる。
【図面の簡単な説明】
【００３０】
本開示の例示的な側面を一般的な用語で説明したため、本開示の概念の様々な特徴及び付随する利点は、参照符号等がいくつかの図全体を通して同じ又は類似の部分を示している、必ずしも原寸に比例して描かれていない添付の図面と組み合わせて検討されて、より十分に評価され、同様によりよく理解される。 
【００３１】
【図１】図１は、本開示のモバイル・プラットフォーム・システムの一実施形態の一例の斜視図である。
【図２】図２は、図１のモバイル・プラットフォーム・システムの第１の端部側の立面図である。
【図３】図３は、図１のモバイル・プラットフォーム・システムの第２の端部側の立面図である。
【図４】図４は、図１のモバイル・プラットフォーム・システムの側面図である。
【図５】図５は、図１のモバイル・プラットフォーム・システムの上面図である。
【図６】図６は、図１のモバイル・プラットフォーム・システムの底面図である。
【図７】図７は、本開示のモバイル・プラットフォーム・システムの別の例示的な実施形態の斜視図である。
【図８】図８は、図７のモバイル・プラットフォーム・システムの上面図である。
【図９】図９は、図７のモバイル・プラットフォーム・システムの底面図斜視図である。
【図１０】図１０、図７のモバイル・プラットフォーム・システムの側面図である。
【図１１】図１１、図７のモバイル・プラットフォーム・システムの端面図である。
【図１２】図１２は、本開示のモバイル・プラットフォーム・システムの例示的な実施形態の概略図である。
【図１３】図１３は、本開示の例示的な実施形態のモバイル・プラットフォーム・システムのサブシステムの概略図であり、すなわち、オープン・インターフェース層、プラットフォーム統合ソフトウェア層、及びサプライヤー固有の構成部品のインターフェース層を示している。
【図１４】図１４は、平台型の上面と、側面に配置された区画（又はコンパートメント、又は小部屋；compartment）内の冷却及びパワー・エレクトロニクスを有する、本開示のモバイル・プラットフォーム・システムの別の例示的な実施形態の概略図である。
【図１５】図１５は、運転室（又はオペレーター・キャブ；operator cab）に隣接する区画内に冷却システム及び動力システムを有し、運転室がプラットフォーム・ベッド（又は荷台、又は土台、又は台；bed）に隣接する、本開示のモバイル・プラットフォーム・システムの別の例示的な実施形態の概略図である。
【図１６】図１６は、最遠の端部（又は最端部；extreme end）にキャブを有し、冷却システム、キャブに隣接する区画に搭載された電子（又は電子機器；electronics）システム、及び区画に隣接するプラットフォーム・ベッドを有する、本開示のモバイル・プラットフォーム・システムの別の例示的な実施形態の概略図である。
【図１７】図１７は、最遠の端部にキャブ、キャブに隣接する冷却システム及び電子システム区画、並びに区画に隣接するプラットフォーム・ベッド上のタンク又は他のコンテナを有する、本開示のモバイル・プラットフォーム・システムの別の例示的な実施形態の概略図である。
【図１８】図１８は、キャブに隣接する冷却システム及び／又は電子システム区画を備えた、及び区画に隣接するオープン・シャーシ・レール又はプラットフォームを備えた、狭いキャブを有する、本開示のモバイル・プラットフォーム・システムの別の例示的な実施形態の概略図である。
【図１９】図１９は、プラットフォーム・システムの一方の最遠の端部にバケット及び／又はローダーを有し、そのようなバケット／ローダーのアーム間に狭いキャブを備え、キャブに隣接する冷却システム／電子システム区画、及び区画に隣接するオープン・シャーシ・レールを備える、本開示のモバイル・プラットフォーム・システムの別の例示的な実施形態の概略図である。本実施形態は、ＳＡＥＪ２５１３スキッド操縦付属品インターフェースを備えた付属品を運ぶために装備することができると理解されたい。
【図２０】図２０は、ブーム及び／又はフロント・ローダーを備え、狭いキャブの両側にアームが延在し、キャブに隣接する冷却システム／電子システム区画、及びキャブに隣接するプラットフォーム・ベッドを備える、本開示のモバイル・プラットフォーム・システムの別の例示的な実施形態の概略図である。本実施形態は、上記で説明した他の方法で本明細書に開示した他の実施形態に提供できるように、ＳＡＥＪ２５１３スキッド操縦付属品インターフェースを備えた付属品を運ぶために装備されていることが理解される。
【図２１】図２１は、プラットフォーム・システムの一方の最遠の端部にある狭いキャブ、狭いキャブに隣接する冷却システム／電子システム区画、及び区画に隣接するカバーを有する長台（又は長い荷台、又は長い床台；long bed）、及び移動（又は可動；mobility）のためのプラットフォームを運ぶトラックを有する、本開示のモバイル・プラットフォーム・システムの別の例示的な実施形態の概略図である。
【図２２】図２２は、一方の最遠の端端にキャブ、プラットフォーム・ベッド上の中間（又は中央；midway）に取り付けられたクレーン、及び他方の最遠の端部に冷却システム／電子システム区画を有する、本開示のモバイル・プラットフォーム・システムの別の例示的な実施形態の概略図である。
【図２３】図２３は、プラットフォームの一方の最遠の端部にキャブ、中間に取り付けられた冷却システム／電子システム区画、及びそのような区画に隣接するプラットフォーム・ベッドを有する、本開示のモバイル・プラットフォーム・システムの別の例示的な実施形態の概略図である。
【図２４】図２４は、プラットフォームの一方の最遠の端部にリフト・マスト、リフト・マストに隣接するプラットフォーム上のキャブ、中間に取り付けられた冷却システム／電子システム区画、及びそのような区画に隣接するダンプ・ベッドを有する、本開示のモバイル・プラットフォーム・システムの別の例示的な実施形態の概略図である。
【図２５】図２５は、プラットフォーム・システムの一方の最遠の端部にバケット・ローダーを有し、プラットフォーム・システムはバケット・ローダーの連結アーム間の狭いキャブを有し、キャブに隣接する冷却システム／電子システム区画、及び区画に隣接するダンプ・ベッド、クワッドトラックで運ばれるプラットフォームを有する、本開示のモバイル・プラットフォーム・システムの別の例示的な実施形態の概略図である。
【図２６】図２６は、プラットフォームの一方の最遠の端部に狭いキャブ、キャブとカバー付きベッドとの間に配置された冷却システム／電子システム区画、プラットフォームの一方の端部にあるハーフトラックで運ばれ、他方の端部にあるスキー又はスキッドで運ばれるプラットフォームを有する、本開示のモバイル・プラットフォーム・システムの別の例示的な実施形態の概略図である。
【図２７】図２７は、補助動力ユニット及び動作ステーション、中間に取り付けられた冷却システム／電子システム区画、及びそのような区画に隣接するプラットフォーム・ベッドを有する、本開示のモバイル・プラットフォーム・システムの別の例示的な実施形態の概略図である。
【図２８】図２８は、一方の最遠の端部に隣接するプラットフォーム・ベッド及び他方の最遠の端部に隣接する別のプラットフォーム・ベッド、双方のプラットフォーム・ベッドとの間の中間に取り付けられた冷却システム／電子システム区画を有する、本開示のモバイル・プラットフォーム・システムの別の例示的な実施形態の概略図である。
【図２９】図２９は、中間に取り付けられた冷却システム／電子システム区画、プラットフォームの両端に隣接する覆われたプラットフォーム・ベッド部分、遠隔制御されるモバイル・プラットフォーム・システムを有する、本開示のモバイル・プラットフォーム・システムの別の例示的な実施形態の概略図である。
【図３０】図３０は、中央に取り付けられた冷却システム／電子システム区画、プラットフォームの両端に隣接する覆われたプラットフォーム・ベッド、プラットフォーム、及びプラットフォームの両端の最遠の端部を超えて延在する付属品区画、及び最大電力点追従（ＭＰＰＴ）電子機器、急速充電電気自動車供給装置（ＥＶＳＥ）、及び１つ以上の光起電装置の接続バッテリーバフ及び／又は風力充電ステーションで使用するその他の装置を含む、付属品キャビネット等を有する、本開示のモバイル・プラットフォーム・システムの別の例示的な実施形態の概略図である。
【図３１】図３１は、左端の列内の、それぞれの行自体に、車両レベル・システムを示しており、特定のシステムのために個別に又は集合的に組み合わせることができるサブシステム／バリエーションがそのような各行中の右側に示されている、本開示のモバイル・プラットフォーム・システムの他の例示的な実施形態の概略図である。
【図３２】図３２は、左端の列内の、それぞれの行自体に、システム・レベル・システムを示しており、特定のシステムのために個別に又は集合的に組み合わせることができるサブシステム／バリエーションがそのような各行中に右側に示されている、本開示のモバイル・プラットフォーム・システムの他の例示的な実施形態の概略図である。
【図３３】図３３は、入力ごと／制御部ごとの使用を介する分散型ユーザー・インターフェース管理部を示している、本開示の例示的な実施形態モバイル・プラットフォーム・システムのサブシステムの概略図である。
【図３４】図３４は、ユーザー入力デバイス、アタッチメント制御部、動力原、及びエネルギー貯蔵デバイスに関する柔軟性を反映する一般的なアーキテクチャを示している、本開示の例示的な実施形態モバイル・プラットフォーム・システムのサブシステムの概略図である。
【発明を実施するための形態】
【００３２】
本開示の実施例は、本開示の全実施例ではないがいくつかの実施例が示されている、添付の図面を参照して、以下により十分に記載される。実際に、本開示の様々な例示的な態様が、多くの異なる形態で具体化され得て、本明細書に記載の実施例に限定されると解釈されるべきでない。むしろ、これらの実施例は、本開示が十分及び完全であり、本開示の範囲を当業者に十分に伝えるように提供される。同様の参照番号は、全体を通して同様の要素に言及している。
【００３３】
ここで図１〜６を参照すると、本開示のモバイル・プラットフォーム・システム１００の一実施形態が示されている。本特定の実施形態では、モバイル・プラットフォーム・システム１００は、モバイル・プラットフォーム・システム１００上部を囲むカバーとともに示されている。図７〜１１に示されているような別の機器構成では、カバーはない。図１４〜３０は、モバイル・プラットフォーム・システム１００の多数の他の実施形態を示す。しかしながら、本明細書で開示されるモバイル・プラットフォーム・システム１００の多数の変形を有していても、そのような変形は例示のみを目的としており、本開示の範囲を限定するものとして解釈されるべきではないことを理解されたい。モバイル・プラットフォーム・システム１００は本明細書で示されていないが本開示の範囲内にある多数の他の機器構成をとる。
【００３４】
図１を参照すると、少なくとも一つのアタッチメントを動作可能に受信するようになっているモバイル・ワーク・システム１００の一実施形態が示されている。モバイル・ワーク・システム１００はプラットフォーム１００を有して成り、プラットフォーム１００は少なくとも一つの動力出力デバイス１１２（図１２）によって電力が供給される構造的支持フレームを有して成り得る、又は成り得ない。少なくとも一つのエネルギー源１１４は、動力出力デバイス１１２に動作可能に接続されている。
【００３５】
プラットフォーム１１０は、第１の端部１１６、及び第１の端部１１６と対向する第２の端部１１８とを規定する。第１のアタッチメント・インターフェース１２０は、プラットフォーム１１０の第１の端部１１６に接続され、少なくとも一つのアタッチメントＡ（例えば図１９）を受容するようになっている。第２のアタッチメント・インターフェース１２２は、プラットフォーム１１０の第２の端部１１８に接続され、アタッチメントＡも受容できるようになっている。第１のアタッチメント・インターフェース１２０及び第２のアタッチメント・インターフェース１２２は、それぞれ、互いに動作可能に実質的に同一である。すなわち、ある意味で「両手利き（ambidextrous） 」又は「永続的（又は世俗的；secular）」であり、アタッチメントＡは、インターフェース１２０及びインターフェース１２２両方に対するアタッチメント間に有意差なしにインターフェース１２０又はインターフェース１２２に取り付けられることができる。上記のように、モバイル・ワーク・システム１００の本オムニ・アタッチメント（又は全アタッチメント；omni-attachment）機能は、システム１００の「前方の」又は「後方の」端部がないという点で、システム１００は非常に用途が広い。
【００３６】
システム１００の各々の端部１１６、１１８は、ステアリング機構を有して成り、各々のステアリング機構は互いと比較して実質的に同じ範囲の運動又は弧を介して回転し得るという点で、そのような各ステアリング・システムは、実質的に互いに同一である。 それ以外の点では、同じ方法で同じ程度に操作できる。より具体的には、システム１００の第１の端部１１６は、プラットフォーム１１０の第１の端部に接続された第１のステアリング機構１２４、及びプラットフォーム１１０の第２の端部１１８に接続された第２のステアリング機構１２６とを有して成る。少なくとも一つの推進装置Ｍ（図６）がシステム１００に設けられており、プラットフォーム１１０に取り付けられる。推進装置Ｍは、車輪１２８、トラック１３０（図２１）、スキッド１３２（図２６）、ローラー（図示せず）、連結式歩行脚（図示せず）、及び／又は前述の組み合わせ（図１２）等の様々なモード又は機器構成のいずれかであり得る。
【００３７】
したがって、モバイル・ワーク・システム１００の上記の実施形態の上述の構造を考えると、プラットフォーム１１０は、推進装置Ｍによって、プラットフォーム１１０の第１の端部１１６に向かう第１の方向及び／又はプラットフォーム１１０の第２の端部１１８に向かう第２の方向に進み得て、並びに第１のステアリング機構１２４及び第２のステアリング機構１１６によって、概して互いに同一の方法で操縦することができる。
【００３８】
図１２に示されているように、モバイル・ワーク・システム１００は、ディーゼル・エンジン、ガソリン・エンジン、電気モーター、ポンプ、流体圧モーター、及び／又はハイブリッド動力機器構成を有して成る群から選択される少なくとも一つの動力出力デバイス１１４を有して成る。さらに、少なくとも一つのエネルギー源１１４にはモバイル・ワーク・システム１００が設けられており、そのようなエネルギー源１１４は、図１２に示される燃料供給体、バッテリー、蓄圧器、燃料電池、フライ・ホイール装置、太陽電池及び／又は風力エネルギー装置のような、燃料供給体を含む。
【００３９】
さらに、モバイル・ワーク・システム１００は、１つ以上の特定のタスクのための特定用途となる、又は変化し易い（又は移り気な；variable）用途を有する一般的な実用機器構成の、少なくとも一つのボディ部分１４４（図１２）を有して成り得る。
【００４０】
さらに、システム１００は、少なくとも一つのアタッチメントＡ、又は１４６（図７）を有して成り得て、そのようなアタッチメント１４６又はその構成部品は、「スマート」であり得て、及び／又はアタッチメント１４６は、部分的又は全体に非準拠の旧型の特性であり得る。上記のように、本明細書で使用される「スマート」又は「スマートさ」又はその欠如は、ユーザーのコミュニティ、標準化団体等によって受け入れられるおよび／又は業界またはそのサブセット内で対応の制定されたコースのコースを通じて認識される、コミュニケーション、制御、及び反応のための一連の受け入れ可能な規則に従い、同規則で動作する能力によって、それらの規則が１つ以上の公式基準であるか、１つ以上の商業的定義であるかに関係なく定義される。本明細書で使用されるような、「非準拠の旧型の」アタッチメント又は特徴は、「スマートさ」の欠如が、前述の受け入れられた通信、制御、及び反応の規則への準拠の欠如を意味するものであることをさらに理解されたい。アタッチメント１４６は、エネルギー源１４２に接続され、電力出力デバイス１１２は機械的仕事を実施する、電力を提供する、熱電力を提供する、及び／又は流体動力を提供する少なくとも一つの動作を実施するようになっている。
【００４１】
モバイル・ワーク・システム１００はまた、１つ以上のアタッチメント１４６と通信する少なくとも一つのアタッチメント制御部１４８（図１２）を有して成り、そのようなアタッチメント１４６の動作を制御するようになっている。
アタッチメント制御部１４８は、スマート・アタッチメント１４６を制御するだけでなく、非準拠の旧型のアタッチメント１４６も制御するために動作可能となっている。少なくとも一つのユーザー入力デバイス１５０には、プラットフォーム１１０及び／又は１つ以上のアタッチメント１４６と通信し、制御するようになっているシステム１００が設けられており、ユーザー・インターフェース管理部１５２（図１３）は、ユーザー入力デバイス１５０及びアタッチメント制御部１４８に接続され、使用されているアタッチメント１４６がスマート・アタッチメント又は非準拠の旧型のアタッチメントであるかに関わらず、ユーザー入力デバイス１５０又はアタッチメント制御部１４８の再プログラミングを必要とせずに、ユーザー入力デバイス１５０とアタッチメント制御部１４８との間の双方向変換を自動的に提供するようになっている。換言すると、ユーザー・インターフェース管理部１５２は、ユーザーが、モバイル・ワーク・システム１００に配置され得る、又はモバイル・ワーク・システム１００から離れ得る、ユーザー入力デバイス１５０を介して１つ以上のアタッチメント１４６を動作することを可能にする。さらに、ユーザー入力デバイス１１５は、必要に応じて、及び／又は事情の許す限り、有線又は無線でユーザー・インターフェース管理部１５２に接続することができる。
【００４２】
一実施形態では、モバイル・ワーク・システム１００は、推進装置Ｍを有し、当該推進装置Ｍは少なくとも一つの第１の推進装置（１５４）（propulsion arrangement）及び少なくとも一つの第２の推進装置（１５６）を有して成る。そのような各々の推進装置１５４、１５６は、様々な推進装置Ｍに関して上記のような様々な原動装置（motive arrangement）、すなわち、車輪、トラック、ローラー、スキッド、連結式脚等（図１２）から選択され得る。特定の実施形態では、第１の推進装置１５４は、プラットフォーム１１０の第１の端部１１６に接続され、第２の推進装置１５６は、プラットフォーム１１０の第２の端部１１８に接続さ得る。
【００４３】
例示的な一実施形態では、エネルギー源１１４は、バッテリー、発電機、燃料電池、コンデンサー装置及び／又は圧電電気構成（図示せず）等の電気エネルギー源であり、エネルギー源１１４への電気コネクター（図示せず）を有して成る第１のアタッチメント・インターフェース１２０及び第２のアタッチメント・インターフェース１２２の少なくとも一方を有して成る。また、特定の実施形態のエネルギー源１１４は、電気エネルギー源である、パワー・レール１５８（図１３、３３、及び３４）を有して成る。さらに、エネルギー源１１４は、電力機器構成（図示せず）を有して成り得て、電力受け取り及び／又は電力送り出しするようになり得て、その結果、モバイル・ワーク・システム１００は、動力供給機（power provider）となり得て、外部ユーザー、受取者等に動力出力を提供し得て、及び／又はシステム１００は、動力受取機（power importer）であり得て、交流電源、直流電源等の外部電源によって、及びグリッド動力、ソーラー・パネル（太陽光発電）、風力、水力、原子力、潮力、及び／又は熱差力を含む動力を提供する電源から電力が供給され得る。一実施形態では、システム１００及び／又はエネルギー源１１４は、１つ以上のアタッチメント１４６に動力を供給することに関して使用するための電力テイクオフ（図示せず）を動作可能に提供することができる。
【００４４】
モバイル・ワーク・システム１００は、特定の実施形態では、動力出力デバイス及び／又はエネルギー源１１４に接続された流体動力システム１６０（図３１）を有して成り得て、そのような流体動力システム１６０は、第１又は第２のアタッチメントの少なくとも一方を有して成り得て、第１又は第２のアタッチメントは、流体動力が１つ以上のインターフェース１２０、１２２に接続された１つ以上のアタッチメント１４６が設けられ得るような流体動力システム１６０に接続された流体動力コネクターを有する。流体動力システム１６０はまた、加圧ヘッダー及び／又はバス分配システムと同様な、加圧流体の複数の出力を可能にするための少なくとも一つの圧力レール１６２を有して成り得る。さらに、流体動力システム１６０は、１つ以上のアタッチメント１４６に動力を供給するために使用することができる流体動力の電力テイクオフを有して成り得る。
【００４５】
モバイル・ワーク・システム１００はまた、エネルギー源１１４を加熱及び／又は冷却するための熱管理システム１６５（図３１）、及び／又は運転室１６６（図１５）を有して成り得る。
【００４６】
モバイル・ワーク・システム１００は、電力出力デバイス１１２及び／又はエネルギー源１１４を制御するようになっているコマンド・通信（ＣＭＤ ／ ＣＯＭＭ）バス・システム１６８を有して成り得る。ＣＭＤ／ＣＯＭＭバス・システム１６８は、特定の実施形態において、エネルギー源１１２及び動力出力デバイス１１４のオンボード及び／又はオフボード制御で使用するために構成されている。さらに、バス・システム１６８は、特定の実施形態では、有線又は無線の方法で、動作制御１５０に接続される。そのようなバス・システム１１０は、動作制御１５０とバス・システム１６８が接続された他の構成部品との間の情報の双方向転送を可能にする。
【００４７】
モバイル・ワーク・システム１００は、様々な実施形態において、複数の潜在的な機器構成を有し、非標準制御１４０用アダプターを有するようになっており、また、オンボード及び／又はオフボード、すなわち、遠隔の動作移動制御（remote, operator mobility control）１５０と通信するようになっているユーザー・インターフェース管理部（ＵＩＭ）１５２を有して成る。
【００４８】
さらに、アタッチメント通信バス１７４には、特定の実施形態においてモバイル・ワーク・システム１００が設けられており、複数の機器構成を有して成り、及び非標準アタッチメント用アダプター、モビリティ制御部（mobility controller）、プラットフォーム１１０用の四輪駆動制御部、プラットフォーム１１０用の四輪ステアリング制御、及び／又はプラットフォーム１１０用の有線及び無線モビリティ制御を有して成り得る。 
【００４９】
さらに、モバイル・ワーク・システム１００は、様々な設置場所（又は配置場所、又は場所；location）における構成部品に動力を供給する機能、異なるタイプの構成部品及び／又はアタッチメント１４６に動力を供給する機能、複数の充電器用アダプター、及び／又は複数の動力送り出し用アダプター、を有する動力管理部通信バス１７６、を有して成ることができる。
【００５０】
モバイル・ワーク・システム１００はまた、モバイル・エネルギーの設置場所及びエネルギーの種類と相互作用することができ、複数のエネルギー構成部品を操作し（又は処理し；handling）、及び／又は複数のエネルギー構成部品制御のための１つ以上のアダプターを有することができる、エネルギー管理通信バス１７８を有して成り得る。
【００５１】
さらに、モバイル・ワーク・システム１００は、モバイル・ワーク・システム１００の電力コンテンツ（又は内容；content）を検証し、モバイル・ワーク・システム１００又は少なくとも一つのアタッチメント１４６によって実施されるタスクの適切な性能限界を伝達する能力を有する、車両エネルギー・システム・インテグレーター１８０（図３２）を有して成り得る。
【００５２】
モバイル・ワーク・システム１００は、特定の態様において、モバイル・ワーク・システム１００のコンテンツ定義を最適化する能力を有し、モバイル・ワーク・システム１００のオンボード又はオフボードのタスク・インタープリターである、モバイル・エネルギー・システム・オプティマイザー１８２（図３２）を有して成り得る。
【００５３】
図１に戻ると、プラットフォーム１１０、タイヤ１９０を備えたホイール、プラットフォーム１１０の第１の端部１１６上のカバー１９２、及びプラットフォーム１１０の第２の端部１１８上のカバー１９４を有するモバイル・ワーク・システム１００の一実施形態が示されている。ハンドルＨは、カバー１９２、１９４の一方又は両方を選択的に取り外すように作動し得る。カバー１９２と１９４の間に配置されるのは、動力デバイス１１２及び／又はエネルギー源１１４を囲む区画１９８、内へのアクセスを可能にするためのハンドルＨａを有するヒンジ式アクセスパネル１９６を有する電力出力デバイス１１２である。
【００５４】
図２及び３は、それぞれ、第１の端部１１６及び第２の端部１１８の図であり、それぞれ、第１のアタッチメント・インターフェース１２０及び第２のアタッチメント・インターフェース１２２を示している。図２及び３は、それぞれの端部１１６、１１８の各々に配置されたホイール１９０を選択的に駆動するための車軸１９８、及びトランスミッション２００を示している。図２及び図３は、それぞれ、第１のステアリング機構１２４及び第２のステアリング機構１２６を示し、第１のステアリング機構１２４は、プラットフォーム１１０の第１の端部１１６に取り付けられ、第２のステアリング機構１２６は、プラットフォーム１１０の第２の端部１１８に取り付けられる。
【００５５】
図４は、区画２０２及び２０４を有し、区画２０２が第１の端部１１６に向かって配置され、区画２０４が第２の端部１１８に向かって配置されるモバイル・ワーク・システム１００を示す。区画２０２及び２０４は、構成部品を駆動および／もしくは制御のため、並びに／または格納のために使用できる。
【００５６】
図５は、カバー１９２と１９４を有するモバイル・ワーク・システム１００、及び動力出力デバイス、エネルギー源１１４等の構成部品のために内部区画１９７への空気の流れを可能にする区画１９７の上部の通気部分２０６も示している。
【００５７】
図６は、モバイル・ワーク・システム１００の実施形態の下面を示し、区画２０２、２０４の下面、及びスキッドプレート２０８の図を含む。
【００５８】
図７から図１１は、図１から図６に示されるモバイル・ワーク・システム１００のシステムのバージョン、又はそのような実施形態の別のバリエーションであり得るモバイル・ワーク・システム１００の実施形態を示す。プラットフォーム１１０は、第１の端部１１６まで延びる第１のプラットフォーム１１０ａと、第２の端部１１８まで延在するプラットフォーム１１０ｂとを有して成ることに留意されたい。部分１１０ａ及び１１０ｂの上面は、ブラケット、タイ・ダウン、解放可能なクリップ等（図示せず）が、貨物を固定するため、及び／又はキャブ１６６、アタッチメント１４６、特定用途のボディ部分１４４等の構成部品を固定するために取り付けることができるアタッチメント開口部１１０ｃを有して成る。
【００５９】
上記のように、モバイル・ワーク・システム１００は、特定の実施形態において、最終用途製品である。当該最終用途製品は、（ａ）特定用途であり得る又はあり得ない、及び（ｂ）特定用途のボディ１４４に含まれ得る又は含まれ得ない、一連のユーザー制御（又はコントロール、又は管理；controls)１を含む。特定用途のボディ１４４は耐荷重性があり、同ボディにアタッチメント１４６が取り付けられ、同ボディ自身が（ｃ）基礎的なモバイル動力及びエネルギー・システムから機械的支持、モビリティ（mobility）、動力、及びエネルギー貯蔵／制御部の機能を受容する。基礎的なモバイル動力及びエネルギー・システムは、動力出力デバイス１１２及びエネルギー源１１４ならびに（ｄ）幅広い一連のアタッチメント１４６からの任意の数のアタッチメント１４６を含み得る。この任意の数のアタッチメント１４６は、（ｉ）（１つ以上のフレーム部材を有し得る）プラットフォーム１１０に機械的に取り付けられ得て、（ｉｉ）モバイル・ワーク・システム１００の構成部品として提供される、エネルギー源１１４及び／又は１つ以上の流体動力システム１６０からの動力を受容する及び／又は入力する。ユーザー制御１、特定用途のボディ１４４、プラットフォーム１１０、及びアタッチメント（付属品）１４６との間の関係が、図１２に示されている。この図面では、モバイル・ワーク・システム１００の実施形態の様々な配列（permutation）を作り出す、又は図示し得る。例えば、プラットフォーム１１０は、流体動力、電力、熱動力を有して成ることができ、及び無線又は有線によって制御することができ、必要に応じて、及び／又は状況に応じて、フレーム部材等の機械的支持を有して成ることができる。
【００６０】
さらに、（モバイル・ワーク・システム１００は、略５０／５０の重量分布を有するため）付属品１４６には、進行方向、ステアリング、重心の考慮に関係なく、両手利き又は永続的に第１の端部１１６及び第２の端部１１８が設けられる。 従って、ダンプ・ベッド、リフト、クレーン、プラットフォーム等を有して成り得るトラック・ボディ等の付属品を、プラットフォーム１１０の端部１１６、１１８の１つ以上の端部に追加することができる。同様に、ヒッチ及びテールゲート等のフレーム端部付属品が、農業用器具、産業用器具、フォークリフト・マスク、フロント・ローダー、スキッド・ステア・アタッチメント、及び／又は他のアタッチメント１４６と同様に、両方の端部１１６、１１８に同様に設けられ得る。
【００６１】
図１３に示されているように、モバイル・ワーク・システム１００の様々な他の構成部品及び／又はサブシステムが示されている。例えば、ユーザー・インターフェース管理部１５２は、ディスプレイ１、ディスプレイ２、及び移動（又はモビリティ；mobility）ジョイスティック、アタッチメント１ジョイスティック、アタッチメント２ジョイスティック、アタッチメント３独立デバイス、無線インターフェース、モバイル通信用グローバル・システム（又は汎欧州デジタル移動電話方式；global system for mobile communications）（ＧＳＭ）とグローバル・ナビゲーション衛星システム(又は全球測位衛星システム；global navigation satellite system)（ＧＮＳＳ）インターフェース、及び／又は非常停止スイッチ（又は電気停止スイッチ；electric stop switch）から入力を受けることができる。さらに、ユーザー・インターフェース管理部１７２は、シャーシ・ギアボックス管理部、アタッチメント１管理部、アタッチメント２管理部、管理部アダプター３、アタッチメント３管理部、管理部アダプター４、アタッチメント４管理部、及び／又は診断機器（又は装置；equipment）（図中に示されていない）を接続できる診断コネクターからの入力を受けることができる。
【００６２】
ユーザー・インターフェース管理部１７２へのさらなる入力は、動力管理部１７３、シャーシ油圧動力ユニット（ＨＰＵ）モーター・インバーター、牽引モーター・インバーター、補助動力ユニット（ＡＰＵ）、充電器／送り出し機（又は輸出機；exporter）インバーター、低電圧（ＬＶ）配電モジュール、冷媒圧縮機（ＲＥＦＲＣ＆Ｐ）モーター・インバーター、１つ以上の冷却剤ポンプ、高電圧（ＨＶ）配電モジュール、及び／又はＨＰＵモーター・インバーターからあり得る。エネルギー管理部はまた、動力管理部１７３及びユーザー・インターフェース管理部１７２と通信し得て、エネルギー管理部への入力をし得て、バッテリーパック１、バッテリーパック２、バッテリーパックＮ、及び／又は燃料タンク１を有して成り得る。さらに、エネルギー管理部１７５は、ＨＶ配電モジュールと通信することができ、ＨＶ配電モジュールはＨＶＤＣ電力バス及び充電器／エキスパート・コンバーターに相互接続できる。さらに、ＤＣ電力バスの代わりに、又はＤＣ電力バスに加えて、充電器／送り出し機インバーターが提供され、ＡＣ電力バスと通信する。さらに、ＨＰＵポンプ・モーターは、ＨＶモーター・インバーターと通信している両方の油圧レール１６２と通信することができる。
【００６３】
本明細書で開示されるモーター・プラットフォーム・システム及びその方法の実施形態には、エンド・ユーザー／ＯＥＭオープン・インターフェース層、例えばプラットフォーム統合ソフトウェア層、及びいくつかの実施形態では、アタッチメント１４６のためのサプライヤー固有の構成機器インターフェース層及び／又は他の製造業者固有の構成部品、が含まれる。図１２に関して、接続図は、プラットフォーム統合管理モデル、すなわち、統合ソフトウェア層とともに、ユーザー・インターフェース管理部１７２における既製のサプライヤー・ソフトウェア及びユーザー／ＯＥＭソフトウェアを有する、ユーザー・インターフェース管理部１７２、動力管理部１７３、及びエネルギー管理部１７５と他の構成部品との間の制御関係を示している。制御アダプター１７７（図３３）は、アタッチメント制御バス１７９とアタッチメント３制御部とアタッチメント４制御部との間に存在する。これらの制御アダプター１７７は、非準拠の旧型のアタッチメントの使用を容易にし、モバイル・ワーク・システム１００との完全な互換性を提供する。
【００６４】
本開示の方法におけるモバイル・プラットフォーム・システムは、以下を有するエンド・ユーザー／ＯＥＭオープン・インターフェースを有して成る。（ａ）モバイル・アプリケーションの機械的支持のための機械的フレーム・インターフェース（b）アプリケーション／アタッチメント１４６動力の電源及び流体動力インターフェース（c）エネルギー構成部品又はシステムへのプラットフォームの接続のための機械的、電気的、及び流体インターフェース（d）用途／アタッチメント１４６の熱管理ニーズをサポートするための熱管理インターフェース 、及び（e）下記（ｉ）〜（ｉｖ）の機能を有するオープンな無線又は有線インターフェース（ｉ）プラットフォームのパワー・トレイン及びシャーシ・システムを介してモビリティ機能を提供するコマンドを受け入れる。（ii）エネルギーの受け取り（充電による）を受け入れる、及び／又はプラットフォームの電気及び流体動力供給インターフェースを介して動力を送り出し／供給するコマンドを受け入れる。（iii）プラットフォーム及び接続されたシステムの監視、及び／又はそのようなシステムに関連する問題診断のための情報のユーザー検索のための接続を提供する。（iv）エンド・ユーザー又はＯＥＭによるエンド・ユーザー制御の選択に関して柔軟性がある。
【００６５】
このようなインターフェース層は、エンド・ユーザー又はＯＥＭがそれぞれの定義と使用ガイドラインへのアクセスを有するという意味でオープンなコレクション・インターフェースである。従って、エンド・ユーザー及びＯＥＭは、必要に応じて、独自の用途固有及び／又は一般的な実用ボディ１４４及びアタッチメント１４６を自由に使用できる。さらに、モバイル・ワーク・システム１００の実施形態は、システム１００が実際の「前方」又は「後方」の端部を持たないが、その代わりにその意味で両手利き／永続的であるため、エンド・ユーザーが選択したサスペンション／ステアリング・ベアリング・サブフレームを一方又は両方の端部１１６、１１８で受け入れるためのオープン・フレームを有して成る。 
【００６６】
モバイル・ワーク・システム１００の実施はエンド・ユーザー制御を含み得ないが、そのオープン・インターフェース・システムは、モバイル・アプリケーションの実施を容易にする。同モバイル・アプリケーションは、特定用途のユーザー・インターフェース管理部１７２により、通信機能のために個々の入力デバイス又は制御部を再プログラムする必要なしに、エンド・ユーザー又はＯＥＭがユーザー入力デバイス１５０及びアタッチメント制御部１４８を組み合わせて一致させることが可能となる、すなわち、ユーザー・インターフェース管理部により必要な双方向変換が供されることで、多様であるが固有のユーザー制御または制御セットが適切となっているものである。ユーザー・インターフェース管理部はエンド・ユーザー又はＯＥＭによってプログラム可能であるため、そのハードウェアはオープン・インターフェースの一部であり、そのソフトウェアは、必要に応じて、それぞれのエンド・ユーザー又はＯＥＭ独自（又は専用の；proprietary）にすることができる。ユーザー・インターフェース管理部の特定の実施形態では、その機能はユーザー入力管理部の翻訳機能（又は変換機能、又は変換関数；translation function）を入力ごと、又は制御部ごとのアダプターに配布することで明らか（又は顕在化、又は明白；manifested）になる。オープン・インターフェース規則に準拠した入力デバイスとアタッチメント制御部は、ユーザー・インターフェース制御部エリア・ネットワーク（ＣＡＮ）又はアタッチメント制御ＣＡＮバスに直接接続できる。非準拠の旧型のアタッチメント及び／又はアタッチメント制御部用の旧型の入力デバイス等の互換性を欠くアタッチメント１４６は、互換性を提供するインターフェース・アダプターを介して経路制御（又はルーティング；routing）することによって取り付けることができる。プラットフォーム統合ソフトウェア層の実施は、プラットフォームのモビリティ（又は移動；mobility）、動力、及びエネルギー・システムが互いにどのように相互作用するかを決定する。本質的に、シャーシ／ギア・ボックス制御部は、ユーザーへのモーション・フィードバック情報の流れと同様に、ユーザー入力の要求に対する実質的に全てのプラットフォーム・モビリティ（又は移動；mobility）の応答を制御する。動力管理部は、ユーザー・インターフェース管理部からコマンドを受信してフィードバックを送信し、すべての動力構成部品（モーターとそのインバーター、動力の受け取り／送り出し／分配構成部品、ＡＰＵ等）の監視を含む、すべてのプラットフォームの動力管理部を制御する。動力管理部が動力の流れを管理する方法は、必要に応じて独自のものであり得て、動力源が動力管理部と接続及び通信する方法、つまり、システム１００はオープンであり、システム１００に受け取るためのすべての動力源がＳＡＥ  Ｊ１７７２充電器として電動力管理部に表示され、それぞれがパワー・トレイン−ＣＡＮバス上で個別に識別できることに留意されたい。
【００６７】
図３３に示されるように、特定の実施形態におけるモバイル・ワーク・システム１００は、ユニットごと／制御部ごとのアダプターの使用に対する分散型ユーザー・インターフェース管理部を有して成る。この装置は、動力管理部１７３に、動力原の設置場所、すなわち、そのような動力源がオンボードであるかオフボードであるかに関わらず、動力源との相互作用の柔軟性を与える。この装置は、動力管理部が、内部燃焼発電機、燃料電池、太陽光発電インターフェース、レベル１直流に対するレベル２交流等の動力源タイプに関係なく、動力源と相互作用する柔軟性を与える。さらに、この装置は、動力管理部の柔軟性が、複数の動力源と同時に相互作用することを可能とする。ソース用のインターフェースを充電するオンボードＳＡＥＪ１７７２が、他の充電インターフェースノードとは異なるパワー・トレイン−ＣＡＮノード・アドレスを想定する機能を有していない場合、ソフトウェア・アーキテクチャは、目につかないように、対象の充電器のパワー・トレイン−ＣＡＮアドレスをシフトするための充電器インターフェースＣＡＮアダプターの包含（又は含有；inclusion）を提供する。必要に応じて、そのようなシフトは、カナダのオンタリオ州ミシサガにあるアキシオマティック・テクノロジーズ・コーポレーション（Ａｘｉｏｍａｔｉｃ  Ｔｅｃｈｎｏｌｏｇｉｅｓ  Ｃｏｒｐｏｒａｔｉｏｎ）が販売している、アキシオマティック（Ａｘｉｏｍａｔｉｃ）ＡＸ１４０Ｘ００プロトコル・コンバーター等の１：１バス・ルーターを使用して達成し得る。特定の実施形態では、エネルギー管理部は、監視及びバッテリーパック、燃料タンク、ポンプ等のエネルギー構成部品を含む、すべてのプラットフォーム・エネルギー管理を制御する。エネルギー管理部は、動力管理部からコマンドを受信し、動力管理部にフィードバックを送信して、すべてのエネルギー貯蔵構成部品、バッテリーパック、燃料タンク、燃料ポンプ等の監視を含む主要なプラットフォーム・エネルギー管理部を制御する。エネルギー源がエネルギー管理部と接続及び通信し得る方法、すなわちモバイル・ワーク・システム１００は、特定の実施形態において、オープンであり、換言すると、システム１００に受け入れ又はシステム１００から送り出しするためのエネルギーのすべての収納庫（又はリポジトリー；repository）は、バッテリー−ＣＡＮバス上で別個に識別可能であるようにエネルギー管理部に現れる。安全バックアップの理由のため、エネルギー管理部はエネルギー・フィードバックを監視し、二次／バックアップ・エネルギー源のシャットダウン／シャットオフを実施する権限を有する。この装置により、エネルギー管理部が、オンボード又はオフボード・システム１００に関わらず、エネルギー貯蔵構成部品の設置場所に関係なく、エネルギー貯蔵構成部品と相互作用する柔軟性を得る。さらに、この装置により、エネルギー管理部は、関連する動力源の種類に依存する性質を有する複数のエネルギー貯蔵構成部品と柔軟に相互作用できる。例えば、エネルギーが他のエネルギー源ＣＡＮノードＩＤと異なるバッテリーＣＡＮノード・アドレスを想定する能力を有さない場合、システム１００は、そのエネルギー貯蔵デバイスに対して���に見えない形で、そのバッテリーＣＡＮアドレスをシフトするようになっているエネルギー貯蔵インターフェースＣＡＮを有して成ることを可能にする。
必要に応じて、このようなシフトは、１：１バス・ルーターを使用して、また、例えば、アキシオマティック（Ａｘｉｏｍａｔｉｃ）ＡＸ１４０Ｘ００プロトコル・コンバーター等を使用して達成し得る。
【００６８】
シャーシ／ギア・ボックス制御部、動力管理部、及びエネルギー管理部は全て、インターフェースとプログラミング・ツールは、それぞれのサプライヤー（又は供給者；supplier）独自のものである既製（ＯＴＳ）の電子制御モジュール内に配置し得る。
しかし、サプライヤーのツールを使用してこれらの電子制御モデルに作製及び／又はダウンロードされたアプリケーション・ソフトウェアは、独自のものであり得て又はあり得ない。
【００６９】
図３４は、図３３に示されるシステムの別の実施形態であり、図３４は複数の多様なエネルギー貯蔵デバイスと同様に、複数の動力源を備えた一般的なアーキテクチャを示している。
【００７０】
サプライヤー固有の構成部品インターフェース層は、モバイル・ワーク・システム１００のモビリティ、動力、及びエネルギー・システムがそれらを構成する構成部品とどのように相互作用するかを規定する。事実上すべての構成部品が既製であり得るため、システム／構成部品インターフェースの独自の性質はサプライヤーの裁量に左右される。実際には、これらのシステム／構成部品インターフェースが閉じられて（又はクローズドされて；closed）おり、構成部品インターフェース情報の要求者は、それぞれの構成部品サプライヤーからアクセスする必要がある（たとえ構成部品インターフェースが開いている（又はオープンである；open）ことが公に知られている場合でも）。
【００７１】
図１４は、平台型の上面２２８と、側面に配置された区画２３０内の冷却及びパワー・エレクトロニクスを有する、モバイル・プラットフォーム・システム１００ａの別の例示的な実施形態を示す。
【００７２】
図１５は、運転室１６６に隣接する区画２３４内に冷却システム及び動力システムを有し、運転室１６６がプラットフォーム・ベッド２３６に隣接する、モバイル・プラットフォーム・システム１００ｂの別の例示的な実施形態を示す。
【００７３】
図１６は、最遠の端部にキャブを有し、冷却システム、キャブに隣接する区画２４０に搭載された電子システム、及び区画２４０に隣接するプラットフォーム・ベッドを有する、モバイル・プラットフォーム・システム１００ｃの別の例示的な実施形態を示す。
【００７４】
図１７は、最遠の端部にキャブ、キャブに隣接する冷却システム及び電子システム区画２４０、ならびに区画に隣接するプラットフォーム・ベッド上のタンク又は他のコンテナ２４２を有するモバイル・プラットフォーム・システム１００ｄの別の例示的な実施形態を示す。
【００７５】
図１８は、狭いキャブ１６６ａを有し、キャブに隣接する冷却システム及び／又は電子システム区画２４０と、区画に隣接するオープン・シャーシ・レール２４４又はプラットフォームとを有するモバイル・プラットフォーム・システム１００ｅの別の例示的な実施形態を示す。
【００７６】
図１９は、プラットフォーム・システムの一方の端部にバケット及び／又はローダー２４６を有し、そのようなバケット／ローダーのアーム間に狭いキャブを備え、キャブに隣接する冷却システム／電子システム区画、及び区画に隣接するオープン・シャーシ・レールを備えた、本開示のモバイル・プラットフォーム・システム１００ｆの別の例示的な実施形態を示す。この実施形態は、ＳＡＥＪ２５１３スキッド・ステア付属品インターフェースを備えた付属品を運ぶために装備できることを理解されたい。
【００７７】
図２０は、ブーム及び／又はフロント・ローダー２４８を備え、狭いキャブの両側にアームが延在し、キャブに隣接する冷却システム／電子システム区画、キャブに隣接するプラットフォーム・ベッドを備える、モバイル・プラットフォーム・システム１００ｇの別の例示的な実施形態を示す。この実施形態は、上記で議論され、又は本明細書で開示される他の実施形態に提供され得るように、ＳＡＥ Ｊ２５１３スキッド・ステア付属品インターフェースを備えた付属品を運ぶために装備されることが理解される。
【００７８】
図２１は、プラットフォーム・システムの一方の最遠の端部に狭いキャブを有し、狭いキャブに隣接する冷却システム／電子システム区画、及び区画に隣接するカバーを備えた長台を備えた、及びモビリティのためのプラットフォームを運ぶトラック２５０モバイル・プラットフォーム・システム１００ｈの別の例示的な実施形態を示す。
【００７９】
図２２は、一方の最遠の端部にキャブ、プラットフォーム・ベッドの中間に取り付けられたクレーン２５２、及びプラットフォームの他方の最遠の端部に冷却システム／電子システム区画を備えたモバイル・プラットフォーム・システム１００ｉの別の例示的な実施形態を示す。
【００８０】
図２３は、プラットフォームの一方の最遠の端部にキャブ、中間に取り付けられた冷却システム／電子システム区画、及びそのような区画に隣接するプラットフォーム・ベッドを備えた、モバイル・プラットフォーム・システム１００ｊの別の例示的な実施形態を示す。
【００８１】
図２４は、プラットフォームの一方の最遠の端部にリフト・マスト２５４、リフト・マストに隣接するプラットフォーム上のキャブ、中間に取り付けられた冷却システム／電子システム区画、及びそのような区画に隣接しているダンプ・ベッドを有する、モバイル・プラットフォーム・システム１００ｋの別の例示的な実施形態を示す。
【００８２】
図２５は、プラットフォーム・システムの一方の最遠の端部にバケット・ローダー２５６を有し、そのようなバケット・ローダーの関節式アーム間に狭いキャブ、キャブに隣接する冷却システム／電子システム構成部品、及び構成部品に隣接するダンプ・ベッド２５８、クワッドトラック２６０で運ばれるプラットフォームを有する、モバイル・プラットフォーム・システム１００ｌの別の例示的な実施形態を示す。
【００８３】
図２６は、プラットフォームの一方の最遠の端部に狭いキャブを有し、キャブとカバー付きベッドとの間に配置された冷却システム／電子システム区画、その一方の端部ハーフトラック２６２、及びその他方の端部のスキー又はスキッド２６４で運ばれるプラットフォーム、を有するモバイル・プラットフォーム・システム１００ｍの別の例示的な実施形態を示す。
【００８４】
図２７は、補助動力ユニット２６６及びオペレーター・ステーション、中間に取り付けられた冷却システム／電子システム区画２６８、及びそのような区画に隣接するプラットフォーム・ベッドを備えた、モバイル・プラットフォーム・システム１００ｎの別の例示的な実施形態を示す。
【００８５】
図２８は、プラットフォーム・ベッドが一方の最遠の端部に隣接し、別のプラットフォーム・ベッドが他方の最遠の端部に隣接し、そのようなプラットフォーム・ベッドの間の中間に取り付けられた冷却システム／電子システム区画２６８を有する、モバイル・プラットフォーム・システム１００ｐの別の例示的な実施形態を示す。
【００８６】
図２９は、本開示のモバイル・プラットフォーム・システムの別の例示的な実施形態の概略図であり、中間に取り付けられた冷却システム／電子システム区画、プラットフォームの両端に隣接する覆われたプラットフォーム・ベッド部分、遠隔管理されるモバイル・プラットフォーム・システムを有する。
【００８７】
図３０は、本開示のモバイル・プラットフォーム・システムの別の例示的な実施形態の概略図であり、中央に取り付けられた冷却システム／電子システム区画、プラットフォームの両端に隣接する覆われたプラットフォーム・ベッド、プラットフォーム、及びプラットフォームの両端の最遠の端部を超えて延在する付属品区画、及び最大電力点追従（ＭＰＰＴ）電子機器、急速充電電気自動車供給装置（ＥＶＳＥ）、及び１つ以上の光起電装置の接続バッテリーバフ及び／又は風力充電ステーションで使用するその他の装置を含む、付属品キャビネット等を有する。
【００８８】
本明細書に記載のシステム及び／又はその方法は、複数の作業機器構成が可能なモバイル・ワーク・プラットフォームを提供する。より具体的には、本明細書で説明するシステム及びその方法は、幅広い用途を達成するために複数のモバイル・ワーク・マシンの必要性を低減又は排除する柔軟なモバイル・プラットフォーム・システムを提供する。
【００８９】
本発明の様々な例の特定の特徴は、いくつかの図面に示され、他の図面には示されない場合があるが、これは便宜上のものにすぎない。本発明の原理によれば、図面の任意の特徴は、他の任意の図面の任意の特徴と組み合わせて参照及び／又は主張することができる。
【００９０】
この書面による説明は、実施例を使用して、最良のモードを含む様々な例を開示し、任意のデバイス又はシステムの作製及び使用、及び任意の組み込まれた方法の実施を含み、当業者がそれらの実施例を実践できるようにする。特許請求の範囲は、請求項によって定義され、以下に記載に従うことを選択し得る又はし得ない当業者に生じる他の実施例を含み得る；アブラハム（Ａｂｒａｈａｍ）らの米国特許第７，６０３，２０７号；フォース（Ｆｏｒｃｅ）の９，６４８，８０８；マクガイア（ＭｃＧｕｉｒｅ）の８，５９３，１０２；フランケンベルガー（Ｆｒａｎｋｅｎｂｅｒｇｅｒ）の９，７８０，５７９；クエナー（Ｋｕｅｈｎｅｒ）らの５，５２１，５８８；バーガー（Ｂｅｒｇｅｒ）らの６，０６１，６１７；オスワルド（Ｏｓｓｗａｌｄ）らの８，６０２，１５３；ムチョウ（Ｍｕｃｈｏｗ）らの７，２３０，８１９；及びカスティール（Ｃａｓｔｅｅｌ）の公開特許出願公開番号ＵＳ２０１４／２８５００５；マルドーン（Ｍｕｌｄｏｏｎ）らのＵＳ２０１８／００５７００４；  コンケ（Ｋｏｈｎｋｅ）のＵＳ２０１７／０１７４０９２；ミンデマン（Ｍｉｎｄｅｍａｎ）のＵＳ２００９／０１７１４８２;アシュビー（Ａｓｈｂｙ）のＵＳ２０１５／００４５９９２；グリーン（Ｇｒｅｅｎｅ）のＵＳ２０１０／０２０６３５４；シュナイダー・エレクトリック（Ｓｃｈｎｅｉｄｅｒ  Ｅｌｅｃｔｒｉｃ）のホワイトペーパー２０、北米の様々なタイプのＡＣ電源コネクター（Ｒｅｖ．２）、ｈｔｔｐ：／／ｗｗｗ．ａｐｃ．ｃｏｍ／ｓａｌｅｓｔｏｏｌｓ／ＳＡＤＥ−５ＴＮＲＭＬ／ＳＡＤＥ−５ＴＮＲＭＬ＿Ｒ2＿ＥＮ．ｐｄｆ;及びケンタッキー州オーエンズボロのライト・インプルーメント（Ｗｒｉｇｈｔ  Ｉｍｐｌｅｍｅｎｔ）の精密ＡＧプロダクト製品（ｈｔｔｐ：／／ｗｗｗ．ｗｒｉｇｈｔｉｍｐ．ｃｏｍ／Ｐｒｅｃｉｓｉｏｎ−Ａｇ／Ｐｒｅｃｉｓｉｏｎ−Ａｇ−Ｐｒｏｄｕｃｔ．ａｓｐｘ）；ＩＳＯ  １１７８３、農林業用トラクター及び機械−シリアル制御及び通信データ・ネットワーク（「IＳＯバス（ｂｕｓ）」又は「ＩＳＯバス（ＢＵＳ）」）、ＳＡＥ  Ｊ１９３９プロトコル（ＣＡＮｂｕｓを含む）に基づく農業業界向けの通信プロトコル、ｈｔｔｐｓ：／ｅｎ．ｗｉｋｉｐｅｄｉａ．ｏｒｇ／ｗｉｋｉ／ＩＳＯ＿１１７８３。前述の全ての全体が参照により本明細書に組み込まれる。そのような他の例は、それらがクレームの文字通りの言語と異ならない構造要素を有する場合、又はそれらがクレームの文字通りの言語と実質的に異なる同一の構造要素を含む場合、クレームの範囲内にあることを意図している。
【００９１】
現在の主題の他の実施形態は、本明細書の考察又は本明細書に開示される主題の実施から当業者には明らかであろう。従って、前述の明細書は、現在の主題の単なる例示と見なされ、その真の範囲は、以下の特許請求の範囲によって定義される。
【図１】
2021527000.tif 000003
【図２】
2021527000.tif 000004
【図３】
2021527000.tif 000005
【図４】
2021527000.tif 000006
【図５】
2021527000.tif 000007
【図６】
2021527000.tif 000008
【図７】
2021527000.tif 000009
【図８】
2021527000.tif 000010
【図９】
2021527000.tif 000011
【図１０】
2021527000.tif 000012
【図１１】
2021527000.tif 000013
【図１２】
2021527000.tif 000014
【図１３】
2021527000.tif 000015
【図１４】
2021527000.tif 000016
【図１５】
2021527000.tif 000017
【図１６】
2021527000.tif 000018
【図１７】
2021527000.tif 000019
【図１８】
2021527000.tif 000020
【図１９】
2021527000.tif 000021
【図２０】
2021527000.tif 000022
【図２１】
2021527000.tif 000023
【図２２】
2021527000.tif 000024
【図２３】
2021527000.tif 000025
【図２４】
2021527000.tif 000026
【図２５】
2021527000.tif 000027
【図２６】
2021527000.tif 000028
【図２７】
2021527000.tif 000029
【図２８】
2021527000.tif 000030
【図２９】
2021527000.tif 000031
【図３０】
2021527000.tif 000032
【図３１】
2021527000.tif 000033
【図３２】
2021527000.tif 000034
【図３３】
2021527000.tif 000035
【図３４】
2021527000.tif 000036
【国際調査報告】
2021527000.tif 000037
2021527000.tif 000038